(57)【要約】【課題】放送素材の映像信号をビデオサーバに短時間に自動収録することを目的とする。【解決手段】映像信号記録再生装置とビデオサーバと制御装置と制御端末とを有し、映像信号を映像ファイルデータとして収録し再生するテープレスシステムにおいて、映像エラー検出装置を有し、放送素材の映像信号と再生した映像信号と比較し異なった場合は、放送素材の映像信号を前記映像エラー検出装置が出力したエラー情報のタイムコードを含むＧＯＰ単位で再生し、前記ビデオサーバでエンコードして映像ファイルデータで収録し、映像エラー検出装置が出力したエラー情報のタイムコードを含むＧＯＰ単位で差し替える。【選択図】図１
2011239058.tif 000002
【特許請求の範囲】
【請求項１】
放送素材の映像信号をタイムコード単位で記録再生する映像信号記録再生装置と、放送素材をエンコードして映像ファイルデータとして収録し再生した映像ファイルデータをデコードして映像信号として出力するビデオサーバと、該ビデオサーバの収録と再生と上記映像信号記録再生装置とを制御する制御装置と制御端末とを有し、放送素材の映像信号を映像ファイルデータとして収録し再生するテープレスシステムにおいて、前記放送素材の映像信号を記憶し、記憶した放送素材の映像信号と前記収録し再生した映像ファイルデータをデコードした映像信号と比較し異なった場合は異なった部分の前記放送素材の映像信号のタイムコードをエラー情報として出力する映像エラー検出装置を有し、
前記映像信号記録再生装置の前記放送素材の映像信号を前記ビデオサーバでエンコードして映像ファイルデータで収録し、再生した映像ファイルデータをデコードした映像信号と比較し異なった場合は、前記映像エラー検出装置が出力したエラー情報のタイムコードに従い、前記制御装置が、前記映像信号記録再生装置の放送素材の頭出しを前記映像エラー検出装置が出力したエラー情報のタイムコードを含むＧＯＰ単位で行い、前記放送素材の映像信号を前記映像エラー検出装置が出力したエラー情報のタイムコードを含むＧＯＰ単位で再生し、前記ビデオサーバでエンコードして映像ファイルデータで収録し、前記映像エラー検出装置が出力したエラー情報のタイムコードを含むＧＯＰ単位でビデオサーバ内の収録済み映像ファイルデータの該当箇所と差し替えることと、
前記放送素材の映像信号を入力し一時記憶し再生し、再生した映像信号または入力した映像信号を出力する映像一時記憶手段（ビデオバッファ）を前記ビデオサーバの映像入力に有し、前記映像信号記録再生装置の前記放送素材の映像信号を前記ビデオサーバでエンコードして映像ファイルデータで収録し、再生した映像ファイルデータをデコードした映像信号と比較し異なった場合は、前記映像エラー検出装置が出力したエラー情報のタイムコードに従い、前記制御装置の制御で前記映一時記憶手段が前記放送素材の映像信号を前記映像エラー検出装置が出力したエラー情報のタイムコードを含むＧＯＰ単位で出力し、前記ビデオサーバでエンコードして映像ファイルデータで収録し、前記映像エラー検出装置が出力したエラー情報のタイムコードを含むＧＯＰ単位でビデオサーバ内の収録済み映像ファイルデータの該当箇所と差し替えることと、
の少なくとも一方を特徴とするテープレスシステム。
【発明の詳細な説明】
【技術分野】
【０００１】
本発明は、番組素材を、ビデオサーバに映像ファイルデータ形式で記録した上でオンエアーする方式のテープレスシステムに関するものである。
【背景技術】
【０００２】
テレビジョン放送業務では、従来からビデオサーバを備えたノンリニアバンクシステムを用い、ＶＴＲ(Video Tape Recorder）等の記録装置に記録されている番組やＣＭ等の放送素材を、ビデオサーバに記録（以下収録と省略）した上でオンエアーして放送している（特許文献１参照）。ビデオサーバの入出力信号が非圧縮の映像信号から、圧縮された映像ファイルデータ形式となり、テープレスシステムと呼称されるようになった。
つまり、テープレスシステムでは、放送素材の映像信号をＭＰＥＧ（Moving  Picture  Experts  Group）等で動画圧縮（エンコード）し、映像ファイルデータとして収録し再生する。
【０００３】
従来のテープレスシステムの構成を示すブロック図を図３に示す。
【０００４】
従来は、収録した放送素材は人がプレビューを行い元の放送素材の映像信号と、収録し再生した映像ファイルデータをデコードした映像信号とに差異がないかの確認を行っている。
【０００５】
入力映像信号と比較して、異なった場合、つまり何らかの要因でサーバへ収録される素材がノイズ等を含むエラー素材となった場合、エラーのあった入力映像信号をＶＴＲ等の映像信号記録再生装置で頭出しして再生し、再度エンコードしてビデオサーバ収録し再生し、映像信号にデコードし、入力映像信号と比較することをエラーがなくなるまで繰り返す。その結果、再度収録業務と確認業務に非常に時間がかかる
【先行技術文献】
【特許文献】
【０００６】
【特許文献１】特開２００５ −２１０４９０号公報
【発明の概要】
【発明が解決しようとする課題】
【０００７】
本発明は、放送素材の映像信号をビデオサーバに短時間に自動収録することを目的とする。
【課題を解決するための手段】
【０００８】
本発明は、上記の目的を達成するために、  放送素材の映像信号をタイムコード単位で記録再生する映像信号記録再生装置と、放送素材をエンコードして映像ファイルデータとして収録し再生した映像ファイルデータをデコードして映像信号として出力するビデオサーバと、該ビデオサーバの収録と再生と上記映像信号記録再生装置とを制御する制御装置と制御端末とを有し、放送素材の映像信号を映像ファイルデータとして収録し再生するテープレスシステムにおいて、前記放送素材の映像信号を記憶し、記憶した放送素材の映像信号と前記収録し再生した映像ファイルデータをデコードした映像信号と比較し異なった場合は異なった部分の前記放送素材の映像信号のタイムコードをエラー情報として出力する映像エラー検出装置を有し、前記映像信号記録再生装置の前記放送素材の映像信号を前記ビデオサーバでエンコードして映像ファイルデータで収録し、再生した映像ファイルデータをデコードした映像信号と比較し異なった場合は、前記映像エラー検出装置が出力したエラー情報のタイムコードに従い、前記制御装置が、前記映像信号記録再生装置の放送素材の頭出しを前記映像エラー検出装置が出力したエラー情報のタイムコードを含むＧＯＰ単位で行い、前記放送素材の映像信号を前記映像エラー検出装置が出力したエラー情報のタイムコードを含むＧＯＰ単位で再生し、前記ビデオサーバでエンコードして映像ファイルデータで収録し、前記映像エラー検出装置が出力したエラー情報のタイムコードを含むＧＯＰ単位でビデオサーバ内の収録済み映像ファイルデータの該当箇所と差し替えることと、前記放送素材の映像信号を入力し一時記憶し再生し、再生した映像信号または入力した映像信号を出力する一時記憶手段を前記ビデオサーバの映像入力に有し、前記映像信号記録再生装置の前記放送素材の映像信号を前記ビデオサーバでエンコードして映像ファイルデータで収録し、再生した映像ファイルデータをデコードした映像信号と比較し異なった場合は、前記映像エラー検出装置が出力したエラー情報のタイムコードに従い、前記制御装置の制御で前記映一時記憶手段が前記放送素材の映像信号を前記映像エラー検出装置が出力したエラー情報のタイムコードを含むＧＯＰ単位で出力し、前記ビデオサーバでエンコードして映像ファイルデータで収録し、前記映像エラー検出装置が出力したエラー情報のタイムコードを含むＧＯＰ単位でビデオサーバ内の収録済み映像ファイルデータの該当箇所と差し替えること、との少なくとも一方を特徴とするテープレスシステムである。
【発明の効果】
【０００９】
以上のように本発明によれば、放送素材の映像信号をビデオサーバに短時間に自動収録することができる。
【図面の簡単な説明】
【００１０】
【図１】本発明の１実施例のテープレスシステムの構成を示すブロック図
【図２】本発明の他の１実施例のテープレスシステムの構成を示すブロック図
【図３】従来のテープレスシステムの構成を示すブロック図
【図４】本発明の１実施例のテープレスシステムの収録動作を示すフローチャート
【図５】本発明の他の１実施例のテープレスシステムの収録動作を示すフローチャート
【発明を実施するための形態】
【実施例１】
【００１１】
まず本発明の１実施例のテープレスシステムの収録動作を本発明の１実施例のテープレスシステムの構成を示すブロック図の図１と本発明の１実施例のテープレスシステムの収録動作を示すフローチャートの図４とを用いて説明する。
【００１２】
本発明の１実施例のテープレスシステムの構成を示すブロック図の図１において、１は映像信号記録再生装置（ＶＴＲ）、２はマトリクススイッチャ、３は収録再生端末（登録／プレビュー端末）、４はビデオサーバ、５は制御装置（収録コントローラ）、６は映像エラー検出装置である。
【００１３】
放送素材収録時はまず、映像信号記録再生装置（ＶＴＲ）１からマトリクススイッチャ２を経由して、ビデオサーバ４へ放送素材の映像信号（High  Definition−Serial  Degital  Interface：ＨＤ−ＳＤＩ：ＳＤＩと省略）を入力しエンコードして映像ファイルデータとして収録する。放送素材の映像信号（ＳＤＩ）は映像エラー検出装置６に入力され、一時記憶される。一定時間経過後、収録されている素材は時差再生（プレビュー）が可能となり、ビデオサーバ４から再生された映像ファイルデータはデコードされ映像信号として出力され、マトリックススイッチャ２を介して映像エラー検出装置６に入力することで、放送素材の映像信号とビデオサーバ４から再生デコードされた映像信号との比較検知を行なう。
【００１４】
さらにエラー検出をした際に映像エラー検出装置６からアラームと再生デコードされた映像信号にエラーを検出した放送素材の映像信号タイムコードとのエラー情報の出力を行い、映像エラー検出装置６が出力したエラー情報のタイムコードに従い、制御装置（収録コントローラ）５が、映像信号記録再生装置（ＶＴＲ）１の放送素材の頭出しを映像エラー検出装置６が出力したエラー情報のタイムコードを含むＧＯＰ単位で行い、放送素材の映像信号を前記映像エラー検出装置６が出力したエラー情報のタイムコードを含むＧＯＰ単位で再生し、ビデオサーバ４でエンコードして映像ファイルデータで再収録し、映像エラー検出装置６が出力したエラー情報のタイムコードを含むＧＯＰ単位で再収録した映像ファイルデータは、ビデオサーバ４内の収録済みファイルの該当箇所と差し替える。
【００１５】
つまり、本発明の１実施例ではテープレスシステムに映像エラー検出装置６を組み込む事で収録時の素材エラーを自動で検出し、さらにはエラー箇所だけを再収録し置き換えることにより、エラー素材の補正を短時間に自動で行う。
その結果、従来の素材ごとの再収録に掛かってしまう時間と作業量を大幅に削減することが可能となる。
【実施例２】
【００１６】
次に本発明の他の１実施例のテープレスシステムの収録動作を本発明の他の１実施例のテープレスシステムの構成を示すブロック図の図２と本発明の他の１実施例のテープレスシステムの収録動作を示すフローチャートの図５とを用いて説明する。
【００１７】
実施例１の図1と２実施例２の図２との相違は、前記放送素材の映像信号を入力し一時記憶し再生し、再生した映像信号または入力した映像信号を出力する映像一時記憶手段（ビデオバッファ）７をビデオサーバ４の映像入力に接続したことである。映像一時記憶手段（ビデオバッファ）７はビデオサーバ４内のＲＡＭ（Random  Access  Memory）やＳＳＤ（Solid  State  Drive）やＨＤＤ（Hard  Disk  Drive）等の記憶手段とＣＰＵ（Central  process  Unit）等の制御手段が兼用されても構わない。また、映像一時記憶手段（ビデオバッファ）７は映像エラー検出装置６のＲＡＭやＳＳＤやＨＤＤ等の放送素材の映像信号（ＳＤＩ）の一時記憶手段とＤＳＰ（Digital  Signal  processer）やＦＰＧＡ（Field  Programmable  Gate  Array）等の制御手段が兼用されても構わない。映像エラー検出装置６がビデオサーバ４に統合されても構わない。
【００１８】
放送素材収録時はまず、映像信号記録再生装置（ＶＴＲ）１からマトリクススイッチャ２と映像一時記憶手段（ビデオバッファ）７を経由して、ビデオサーバ４へ放送素材の映像信号を入力しエンコードして映像ファイルデータとして収録する。
放送素材収録時はまず、映像一時記憶手段（ビデオバッファ）７は入力した映像信号をスルーして出力し、動作は実施例１と同等である。
【００１９】
一定時間経過後、収録されている素材は時差再生（プレビュー）が可能となり、ビデオサーバ４から再生された映像ファイルデータはデコードされ映像信号として出力され、マトリックススイッチャ２を介して映像エラー検出装置６に入力することで、放送素材の映像信号とビデオサーバ４から再生デコードされた映像信号との比較検知を行なう。
時差再生と比較検知までは、映像一時記憶手段（ビデオバッファ）７は関係しないので、動作は実施例１と同等である。
【００２０】
さらにエラー検出をした際に映像エラー検出装置６からアラームと再生デコードされた映像信号にエラーを検出した放送素材の映像信号タイムコードとのエラー情報の出力を行い、映像エラー検出装置６が出力したエラー情報のタイムコードに従い、制御装置（収録コントローラ）５の制御で、映像信号記録再生装置（ＶＴＲ）１の替わりに、映像一時記憶手段（ビデオバッファ）７が前記放送素材の映像信号を前記映像エラー検出装置６が出力したエラー情報のタイムコードを含むＧＯＰ単位で出力し、ビデオサーバ４でエンコードして映像ファイルデータで再収録し、映像エラー検出装置６が出力したエラー情報のタイムコードを含むＧＯＰ単位で再収録した映像ファイルデータは、ビデオサーバ４内の収録済み映像ファイルデータの該当箇所と差し替える。
【００２１】
本機能により、ユーザーの複雑な操作を行わずに収録した映像信号の映像や音の確認と、エラーの有る部分の再収録と入れ替えが、映像信号記録再生装置（ＶＴＲ）の頭出しの時間を待つことなく、映像エラー検出装置６が出力したエラー情報のタイムコードを含むＧＯＰの極めて短時間、つまりほぼリアルタイムに行える。
【００２２】
したがって、特に長時間の放送素材映像信号の収録と、多数の放送素材映像信号の同時収録エラーの有る部分の再収録の時間短縮に関して有効となる。つまり、マトリクススイッチャ２が多数入力で多数出力であり多数同時収録となるキー放送局のニュースセンターや、長時間収録となるキー放送局の番組編集センターに関して有効となる。
【符号の説明】
【００２３】
１：映像信号記録再生装置（ＶＴＲ）、
２：マトリクススイッチャ、
３：収録再生端末（登録／プレビュー端末）、
４：ビデオサーバ、
５：制御装置（収録コントローラ）、
６：映像エラー検出装置、
７：映像一時記憶手段（ビデオバッファ）、
【図１】
2011239058.tif 000003
【図２】
2011239058.tif 000004
【図３】
2011239058.tif 000005
【図４】
2011239058.tif 000006
【図５】
2011239058.tif 000007